(57)【特許請求の範囲】
【請求項１】
電源側端子及び負荷側端子間を接続する主回路導電部が貫装された変流器（ＣＴ）が器体内部に配設されるとともに、該ＣＴの出力信号を器体外部に引き出すＣＴ出力信号引き出し線が器体の負荷側端子側から器体外部に引き出されるよう設けられた分電盤の内部機器としての分岐開閉器を取り付けてボックスに固定される中底を備えて構成される分電盤であって、
前記中底における、前記分岐開閉器を取り付ける側を前面側としボックスに対向する側を背面側としたとき、
前記中底は、
前記ボックスに取り付けられる下板部と、
該下板部に載置され内部機器を取り付ける上板部とから構成され、
前記下板部と上板部との間に部品を配置する部品配置スペースを設けた階層構造として構成されるとともに、
該部品配置スペースには、ＣＴ出力信号引き出し線の端部に設けられた接続コネクタと接続される接続部を備え、
上板部における個々の分岐開閉器取付部毎に、前記前面側に、部品配置スペースに通ずる前記接続コネクタの挿通部としての開口部を設け、
前記接続部を、前記開口部から前面側に突出せぬよう露出させて構成されたことを特徴とする分電盤。
【請求項２】
前記部品配置スペースは、
前記分岐開閉器を並設する方向において両端側に開口部が設けられ、
外部から前記部品配置スペースに部品を配置し得ることを特徴とする請求項１記載の分電盤。
【請求項３】
前記部品配置スペースは、
前記上板部における分岐開閉器取付部の一部が開閉手段により開閉自在に設けられることにより、
前記前面側に露出される状態と前記前面側から隠蔽される状態とを、選択的に取り得ることを特徴とすることを特徴とする請求項１又は請求項２に記載の分電盤。
【請求項４】
前記上板部の前面側には、前記分岐開閉器からのＣＴ出力信号引き出し線を前記開口部に導くための配線溝部が形成されて構成されたことを特徴とする請求項１乃至３記載の内何れか一項に記載の分電盤。
【発明の詳細な説明】
【技術分野】
【０００１】
本発明は、キャビネットの内部に開閉器等の内部機器を組み込んだ分電盤に関し、特に、内部機器としてＣＴ出力信号引き出し線を備えた分岐開閉器を取り付ける中底を有する分電盤に関する。
【背景技術】
【０００２】
一般的に、分電盤は、主開閉器、分岐開閉器、漏電遮断器などの内部機器を、中底に取り付けたうえで一体のものとして、分電盤の外郭となるキャビネットを構成するボックスに取付固定され、構成される。図１２（特許文献１における図３）に示す如く、中底に相当する基板２１に分岐開閉器が複数取り付けられ、一体のものとしてボックス（図示しない）に取付固定されるようになっている。
【０００３】
分岐ブレーカの負荷側端子には、分岐回路に向けてそれぞれ負荷側電線が接続される。前記ボックスの背面側等には負荷側電線をボックスの外部に引き出すための開口部が設けられており、該開口部と、壁面等に施工される電線引き込み口の位置を合わせて壁面等に取り付けることにより、負荷側電線がボックスから壁面等の内部に引き込まれて配線され、分岐回路に電源が供給される。
【０００４】
前記ボックス内における負荷側電線の配線態様は、第一の配線態様として、分電バー４を境に対向して配設されるそれぞれの前記分岐開閉器の負荷側端子部に対応する位置に壁面の開口部が設けられている場合など、前記負荷側端子部から壁面の開口部に向けて電線を湾曲させて該壁面に略鉛直に配線される場合がある。第二の配線態様として、壁面等における電線引き込み口が小さく開けられている場合や、分岐開閉器の負荷側端子部の背面からずれた場所に開けられている場合など、施工状態によっては、負荷側電線を前記開口部からボックス内に導入し、それぞれの分岐開閉器における負荷側端子部まで、前記中底の背面側を通して引き回したうえ、配線する場合がある。
【０００５】
昨今、分電盤の高機能化が進み、分岐開閉器に接続されている家電機器等で消費される電力や、太陽光発電等補助電源からの発電電力などを計測し、家全体の電気エネルギーの使用状況を確実に把握することが出来る計測機能付分電盤が特許文献２に開示されている。
【０００６】
本計測機能付分電盤は、主幹開閉器の負荷側回路を流れる電流を検出する主幹変流器と、分岐開閉器の負荷側回路を流れる電流を検出する分岐変流器と、補助ブレーカの負荷側回路を流れる電流を検出する補助変流器と、これら主幹変流器、分岐変流器および補助変流器で検出される各電流、並びに主幹回路の電圧に基づき、主幹回路を介して売買される双方向電力、各分岐回路で消費される各消費電力および補助電源供給回路を介して供給される補助電源の発電電力を計測する計測手段とを備えて構成され、前記主開閉器や分岐開閉器等が中底に取り付けられて前記ボックスに固定されているものである。
【０００７】
本計測機能付分電盤においては、個々の分岐ブレーカに分岐変流器が内蔵されていることにより、分岐回路を流れる電流を分岐変流器で検出することができ、計測手段は、各分岐回路の消費電力を計測することができる。
【０００８】
これら分岐変流器と計測手段との配線は、特許文献２における図３の分電盤内部の結線図に示されたように、分岐変流器７５の検出信号線であるリード線７７と各ハーネス線７９とをハーネス７８を用いてそれぞれ接続することにより行い、配線が整然と簡易に行える。通常このようなリード線７７と各ハーネス線７９とをハーネス７８を用いて接続する場合には、分岐ブレーカを載置する前記中底の背面側（特許文献１の図３における基板２１の背面側）にて前記ボックスと該中底との間の空間を用いて行われる。
【先行技術文献】
【特許文献】
【０００９】
【特許文献１】特開２００３−２８９６０４号公報
【特許文献２】特開２００１−１０３６２１号公報
【発明の概要】
【発明が解決しようとする課題】
【００１０】
このように、個々の分岐ブレーカに分岐変流器が内蔵された分電盤においては、分岐回路を流れる電流を夫々の分岐変流器で検出することができ、なおかつ、前記分岐変流器７５の検出信号線であるリード線７７と各ハーネス線７９とをハーネス７８を用いて接続することにより、リード線・ハーネス線と計測手段との配線が整然と簡易に行えるものである。
【００１１】
一方、これらリード線・ハーネス線・ハーネスは前記中底の背面側でボックスと該中底との間の空間に配置されるから、前記ボックス内における負荷側電線の配線態様が前記第一の配線態様、特に、前記第二の配線態様に示したような態様となる場合には、ボックス内のガタースペースが減少することとなり、負荷側電線を配線する際に、リード線・ハーネス線・ハーネスが配線の妨げになることがある。分岐回路数が多い場合はリード線・ハーネス線・ハーネスの本数も増え、配線の妨げがさらに顕著になる。
【００１２】
一般的に、リード線・ハーネス線・ハーネスの太さに比べて負荷側電線のほうが太く、また、電線の曲げ加工もしにくいことから、中底の背面において、リード線・ハーネス線・ハーネスを避けながら負荷側電線の配線作業を行うことは困難となり、配線作業工数が増加し作業効率が低下するとともに、負荷側電線によりリード線・ハーネス線・ハーネスを傷つけるおそれや、切断してしまうおそれがある。
【００１３】
また、一度配線を完了した分電盤において、分岐ブレーカを取替える必要が生じた場合には、多数並設している負荷側電線並びにリード線やハーネスを選り分けて、取替え対象となる分岐ブレーカの負荷側電線とリード線を選別したうえで、該当する分岐ブレーカを分電盤から取外す必要がある。また、新たな分岐ブレーカを分電盤に取付けた後、取外した負荷側電線及びリード線やハーネスを元通りに接続する必要があるが、このときに、他の配線に不用意に接触したり力が加わり応力がかかることにより、配線接続に不具合が生じるおそれがあった。
【００１４】
このように、分電盤の高機能化が進むことに伴い、内部機器同士を接続するための配線スペースや、機能追加に伴い新たな機器を配置するための追加機器配置スペースが必要となってくるが、これら配線スペースや追加機器配置スペースを確保するために前記ボックス内におけるガタースペースが圧迫され、本来の負荷側電線の配線の支障となったり、ＣＴ出力信号引き出し線が負荷側接続電線や他の回路の電線に混触するおそれがあるという問題が生じる。
【００１５】
そこで、本発明は、上記問題に鑑みてなされたもので、
ＣＴ出力信号引き出し線を備えた分岐開閉器を分電盤の中底に取付け、配線施工を行うにあたり、前記ＣＴ出力信号引き出し線が、負荷側接続電線や他の回路の電線に混触することを防止でき、なおかつ、ボックス内のガタースペースを圧迫することなく、前記ＣＴ出力信号引き出し線と接続されてＣＴ出力信号を計測手段に導く接続部材を配置するためのスペースを備え得る分電盤を提供することを目的とする。
【課題を解決するための手段】
【００１６】
本発明に係る分電盤は、上述の課題を解決すべく構成されたもので、電源側端子及び負荷側端子間を接続する主回路導電部が貫装された変流器（ＣＴ）が器体内部に配設されるとともに、該ＣＴの出力信号を器体外部に引き出すＣＴ出力信号引き出し線が器体の負荷側端子側から器体外部に引き出されるよう設けられた分電盤の内部機器としての回路遮断器である分岐開閉器を取り付けてボックスに固定される中底を備えて構成される分電盤であって、前記中底における、前記分岐開閉器を取り付ける側を前面側としボックスに対向する側を背面側としたとき、前記中底は、前記ボックスに取り付けられる下板部と、該下板部に載置され内部機器を取り付ける上板部とから構成され、前記下板部と上板部との間に部品を配置する部品配置スペースを設けた階層構造として構成されるとともに、該部品配置スペースには、ＣＴ出力信号引き出し線の端部に設けられた接続コネクタと接続される接続部を備え、上板部における個々の分岐開閉器取付部毎に、前記前面側に、部品配置スペースに通ずる前記接続コネクタの挿通部としての開口部を設け、前記接続部を、前記開口部から前面側に突出せぬよう露出させて構成されたことを特徴として構成するとよい。
【００１７】
かかる構成によれば、分岐開閉器におけるＣＴ出力信号引き出し線を、負荷側電線が引き回されるガタースペースを避けて配線することができる。特に、中底の背面を通す負荷側電線の妨げにならずにＣＴ出力信号引き出し線を配線することができ、配線作業効率の向上が期待できる。
【００１８】
削除
【００１９】
また、かかる構成によれば、ボックス周縁部並びに中底背面部のガタースペースを減少させることなく前記配線スペースや追加機器配置スペースを確保することができるとともに、分岐開閉器を取付するときの邪魔にならずに前記配線スペースや追加機器配置スペースを確保することができる。また、階層構造として、前記下板部と上板部とで二重化構造とすることにより、中底の構造体としての強度を向上させることができる。即ち、中底に開閉器等を載置した場合に中底が撓むなどの変形を防止することができ、ひいては母線と開閉器等の電気的な接続の信頼性を向上させることができる。
【００２０】
また、前記部品配置スペースは、前記分岐開閉器を並設する方向において両端部に開口部が設けられ、外部から前記部品配置スペースに部品を配置し得る構成を採用することができる。
【００２１】
かかる構成によれば、分岐開閉器の並設方向に亘って追加機器や部品、内部機器同士を接続する電源線や信号線を配置させる場合に利便性がよい。また、主開閉器から離れたボックス端部に配設された内部機器に向けて一次送り配線を行う場合には、前記部品配置スペースの一方の開口部から他方の開口部に向けて電線を貫通させることにより、分岐開閉器の負荷側端子に接続する負荷側電線との干渉を防止することができる。
【００２２】
また、前記部品配置スペースは、前記上板部における内部機器取付部の一部が開閉手段により開閉自在に設けられることにより、前記前面側に露出される状態と前記前面側から隠蔽される状態とを、選択的に取り得る構成を採用することができる。
【００２３】
かかる構成によれば、中底を外す必要なく、部品配置スペースに前記前面側からアクセスすることができ、追加機器の配置や収納する部品の配置、取外し、メンテナンス、また、内部機器同士を接続するための配線の施工、取外し、メンテナンスを効率よく行うことができる。
【００２４】
また、前記上板部の前面側には、前記分岐開閉器からのＣＴ出力信号引き出し線を前記開口部に導くための配線溝部が形成される構成を採用することができる。
【００２５】
かかる構成によれば、分岐開閉器を中底に取り付ける際に、ＣＴ出力信号引き出し線を開口部に導きやすくなり、また、該分岐開閉器の器体背面側で、ＣＴ出力信号引き出し線を圧接することがない。また、ＣＴ出力信号引き出し線が分岐開閉器の背面側で配線されるから、分岐開閉器の並設時において、ＣＴ出力信号引き出し線が器体並設方向に突出せず、また、他の分岐開閉器における前記負荷側電線及び他の分岐開閉器における前記ＣＴ出力信号引き出し線に混触することがない。このように、分電盤の施工時など配線の接続／離反を行う際に作業の妨げになりにくく、配線作業性を向上することができる分電盤を提供することができる。
【発明の効果】
【００２６】
以上の如く、本発明によれば、ＣＴ出力信号引き出し線を備えた分岐開閉器を分電盤の中底に取付け、配線施工を行うにあたり、前記ＣＴ出力信号引き出し線が、負荷側接続電線や他の回路の電線に混触することを防止でき、なおかつ、ボックス内のガタースペースを圧迫することなく、前記ＣＴ出力信号引き出し線と接続されてＣＴ出力信号を計測手段に導く接続部材を配置するためのスペースを備え得る分電盤を提供することができる。
【図面の簡単な説明】
【００２７】
【図１】本発明の第一の実施形態を示す分電盤の外観構成図を示す。
【図２】第一の実施形態における中底の外観構成図を示す。
【図３】中底の分解図を示す。
【図４】上板部の分解図を示す。
【図５】中底の分解図を示す。
【図６】中底の要部断面図を示す。
【図７】本発明の第二の実施形態における中底の外観構成図を示す。
【図８】本発明の第一の実施形態における分岐開閉器の外観構成図を示す。
【図９】分岐開閉器の被引掛部を示す。
【図１０】中底に分岐開閉器を取り付ける前の図を示す。
【図１１】中底に分岐開閉器を取り付けた後の図を示す。
【図１２】従来例における中底を示す。
【発明を実施するための形態】
【００２８】
次に本発明の実施形態を図面を用いて詳細に説明する。
【００２９】
（第１の実施形態）
まず、本実施形態に係る分電盤の外観構成について、図１を参酌しつつ説明する。本実施形態に係る分電盤１は、分電用の内部機器を収容すべく、前面側が開放されたボックス２と、該開放部を開閉自在且つ着脱自在に覆う前面カバー（図１においては、該前面カバーが外されていて図示されていない）とを備え、ボックス２内に、主開閉器４あるいは該主開閉器４と接続導体９及び母線１０を介して接続される複数の分岐開閉器７、などが配置され、ボックス２の背面側における適宜箇所に形成された開口部８を通って壁面内からボックス２内に引き込まれる負荷側電線が夫々の分岐開閉器７に接続される。ボックス２の内側周縁部、中底１１の背面側は、分電盤に引き込まれる電線のガタースペースが設けられている。
【００３０】
前記分岐開閉器７などの内部機器は、中底１１に取り付けられた状態で前記ボックス２に取付固定される。本実施形態では、前記中底１１の、内部機器を取り付ける側を前面側とし、ボックスに取り付ける側（ボックスに対向する側）を背面側としている。
【００３１】
次に、中底１１の外観構成について、図２、図３、図４を参酌しつつ説明する。該中底１１は、前記ボックス２に取り付けられる下板部１１１と、該下板部１１１に載置され内部機器を取り付ける上板部１１２とを備えて構成される。前記下板部１１１は金属板により構成され、前記上板部１１２は樹脂成型により構成されている。下板部１１１と上板部１１２との取り付けは、下板部１１１に設けた取付孔部１１１１に、上板部に該孔部と対応した位置に設けられた取付爪片１１２３が嵌合することにより行われる構造となっている。
【００３２】
下板部１１１に上板部１１２を取り付けることにより、中底１１を階層構造として構成することができる。前記下板部１１１は金属板を折り曲げて形成されており、所定の強度は保たれているが、前記下板部１１１と上板部１１２とで二重化構造とすることにより、中底の構造体としての強度を更に向上させることができ、中底に開閉器等を載置した場合に中底が撓むなどの変形を防止することができる。中底の撓みが防止できることにより、母線や開閉器など内部機器自体や、母線と開閉器等との電気的な接続部分に不用な応力が印加されることが低減し、機械的な変形や破損、また、電気的な接続の信頼性を向上させることができる。
【００３３】
図中には、上板部１１２の例として、前記母線１０から電力を供給される分岐開閉器を該母線１０を境に片側に８回路、全体で１６回路の載置可能な上板部を示している。前記上板部１１２には、略中央部を横断するように各極の母線１０を取り付ける母線取付部１１２１が設けられ、前記横断の方向と直交する方向に分岐開閉器を取り付ける分岐開閉器取付部１１２２が夫々設けられている。
【００３４】
分岐開閉器７は、前記母線の幹となる部分を境として両側に設けられ、片側毎に前記母線１０の延出する方向に複数の分岐開閉器が並設配置される構成となっている。図２において，前記幹となる部分が延出する方向に対して手前側がＬ１の電圧極であり，奥側がＬ２の電圧極である。各々の母線には分岐開閉器７に電力を供給するための分岐線が分岐回路毎に一体に設けられている。
【００３５】
前記母線取付部１１２１は、前記前面側−背面側の方向において分岐開閉器取付部１１２２の高さを基準とし、中性極の母線１０１が最も前面側に位置するように突出部１１２１ａが設けられる一方、２つの電圧極の母線（Ｌ１，Ｌ２の母線）１０３，１０２が分岐開閉器取付部１１２１の高さよりも背面側に位置するように凹み部１１２１ｂが設けられている。
【００３６】
中性極の母線１０１の幹部が最も前面側に位置することにより、分電盤の点検時などに不用意に母線に接触することによる感電事故を極力防止することができる。
【００３７】
また、前記凹み部１１２１ｂの凹み量は、該凹み部に前記母線１０２、１０３が取り付けられた場合に、該母線１０２、１０３の前面側の高さが前記分岐開閉器取付部１１２１の高さよりも数ｍｍ背面側となる程度に設けられている。これにより、分岐開閉器７を分岐開閉器取付部１１２２に取り付けた場合に、該分岐開閉器７の電源側部分の背面側が前記母線１０２、１０３の前面側に位置するが、該分岐開閉器と母線との絶縁距離を確保した状態で上板部１１２に取り付け固定することができる。
【００３８】
さて、前記分岐開閉器取付部１１２２においては、各回路毎に仕切り部１１２２ａが設けられている。該仕切り部１１２２ａの内寸は、分岐開閉器７の並設方向の幅寸法と同等程度に設けられており、該仕切り部同士の内側に分岐開閉器を収めることができる。また、該仕切り部１１２２ａは、分岐開閉器７を母線１０の分岐線に接続する場合に、該分岐線の方向にスライドさせるガイドとして利用されるとともに、取付後の分岐開閉器の並設方向へのガタ防止部として利用される。
【００３９】
前記内部機器としての分岐開閉器７は、電源側端子及び負荷側端子間を接続する主回路導電部が貫装された変流器（ＣＴ）が器体内部に配設されるとともに、該ＣＴの出力信号を器体外部に引き出すＣＴ出力信号引き出し線が器体の負荷側端子側から器体外部に引き出されるよう設けられた分岐開閉器である。分岐開閉器７は、器体が長手方向に分割構成される筐体７０１、７０２により形成される。該器体の長手方向のそれぞれの端部には、電源と接続される電源側端子並びに負荷側回路に電源を供給する負荷側端子が設けられる。
【００４０】
前記分岐開閉器７の器体の内部には、電源側端子並びに負荷側端子と接続される主回路導電部、該主回路導電部に介在し主回路導電部に設けられた接点を接触／離反させる接点開閉機構、主回路導電部に異常電流が流れたときには前記接点開閉機構に作用して回路を切動作させる自動遮断機構、前記主回路導体部が貫装される変流器（ＣＴ）等が設けられる。該ＣＴには、ＣＴに貫装される主回路導体部に流れる電流の大きさに応じて誘導電流が発生するが、この誘導電流をＣＴの出力信号として外部に伝達するために、ＣＴの出力端に接続されたＣＴ出力信号引き出し線７１０が接続される。該ＣＴ出力信号引き出し線７１０は、器体の外部に延出されている。また、該ＣＴ出力信号引き出し線７１０の端部には、外部電線と接続するための接続コネクタ７１１が設けられている。また、前記接点開閉機構を筐体の外部から入切操作する操作ハンドル７０３が筐体の前面側に設けられている。
【００４１】
７０５、７０６は前記負荷側端子に負荷側回路に至る負荷側電線を挿入接続するための電線挿入孔である。電源側端子はプラグインタイプの端子を用い、負荷側端子は鎖錠接続端子を用いて構成している。
【００４２】
なお、前記分岐開閉器の器体を並設する方向を側面側とし、前記分岐開閉器の器体のうち、分岐開閉器を操作する操作ハンドル７０３が設けられた側を前面側、分岐開閉器を取付け固定する取付け板に取り付けられる側を背面側とする。該前面側／背面側の方向は、前記中底の前面側／背面側方向と一致する。
【００４３】
また、前記分岐開閉器取付部１１２２における母線側と反対側の端部には、各回路毎に分岐開閉器７を取り付け固定するための分岐開閉器引掛部１１２２ｂが設けられている。該分岐開閉器引掛部１１２２ｂは、分岐開閉器７の背面側に設けられた凹部７０７に設けられた被引掛部７０８に引掛けられ、取付後に、前記前面方向の動きを規制する。
【００４４】
具体的には、分岐開閉器引掛部１１２２ｂには、母線から遠ざかる方向に伸びた引掛片が形成されており、分岐開閉器７の背面側の凹部７０７には、分岐開閉器の負荷側から電源側に延出し、前記引掛片と引掛かるように前面側−背面側の高さをあわせて形成された被引掛部７０８が形成されている。
【００４５】
下板部１１１における、前記母線１０の幹が延出される方向と平行な辺の端部は、略Ｌ字状に折り曲げ加工して形成されている。これは、下板部１１１の強度を保つとともに、前記分岐開閉器７を母線の分岐線と接続した場合に、分岐開閉器における電源側から負荷側方向への動きを規制するためのものである。即ち、分岐開閉器７の負荷側端子部には、該分岐開閉器７の背面側から突出する、しないを外部つまみにより択一的に選択するロックレバー７０４１が設けられており、分岐開閉器の背面側から突出したロック片７０４２が前記折曲部の母線側に対向する面と係合することにより、分岐開閉器における電源側から負荷側方向への動きを規制する。このため、振動などにより、分岐開閉器７が分岐線から外れてしまうことを防止でき、分岐開閉器の上板部１１２への取付固定を確実なものとできる。
【００４６】
分岐開閉器７の取付時には、該分岐開閉器７を分岐開閉器取付部１１２２に載置し、該分岐開閉器７を分岐線の方向にスライドさせていくと、分岐開閉器の背面に形成された凹部７０７に分岐開閉器引掛部１１２２ｂが嵌り込み、さらにスライドさせることにより、分岐開閉器側の被引掛部７０８と分岐開閉器引掛部１１２２ｂが嵌合し、前面側−背面側の動きが規制される。このとき、前記母線１０における分岐線と分岐開閉器７における電源側の電源端子とが接続されて、電気的な接続も行われる。
【００４７】
そして、前記ロックレバー７０４１の外部つまみを下板部１１１の方向に押下げることにより、分岐開閉器７の背面からロック片７０４２が突出して下板部１１１の折曲部１１１２と嵌合し、取り付けが完了する。
【００４８】
また、上板部１１２から分岐開閉器７を取り外すときには、前記ロックレバー７０４１の外部つまみを下板部１１１と反対の方向（前記分岐開閉器の前面側）に引き上げて、ロック片７０４２を背面から突出しない状態にし、分岐開閉器７を母線から遠ざかる方向に引き抜くように移動させることにより、前記分岐開閉器引掛部１１２２ｂと前記被引掛部７０８との係合が外れると同時に母線１０と分岐開閉器７の電源側端子との接続が解かれ、取り外しが完了する。
【００４９】
また、中底１１は、分岐回路数の変化に対し、下板部１１１、上板部１１２及び母線１０の長さを変えて対応できるよう構成されている。図５に示したように、前記上板部１１２は、端部の部品１１２ａ、１１２ｄ、該端部の間に挟まれる分岐開閉器を載置する部品１１２ｂ、１１２ｃ、Ｌ１、Ｌ２、中性極の母線同士を絶縁するための絶縁壁としての部品１１２ｅ、１１２ｆに分割され、母線の幹が延出する方向に４回路ずつ、合計８回路毎の分岐開閉器を載置する部品を連結して増やしたり、又は減らしたりして分岐回路数の変化に対応する。
【００５０】
また、下板部１１１は分割を行わず、上板部の増減単位と同様に、母線の幹が延出する方向に４回路ずつ、合計８回路毎に、下板部１１１の長さを変えて形成する構成となっている。
【００５１】
さて、図６（ａ）Ａ−Ａ断面図、Ｂ−Ｂ断面図に示したように、上板部１１２の分岐開閉器取付部１１２２の背面側であって、下板部１１１の前面側には、部品配置スペース５としての空洞部が形成されている。該空洞部の、前面側−背面側の高さは、前記上板部１１２における凹み部１１２１ｂの凹み量と略等しい大きさとなっている。
【００５２】
また、Ｂ−Ｂ断面図において示しているように、一つの部品配置スペース５の大きさは、母線の幹が延出する方向に４回路毎の大きさとなっている。これは、上板部１１２を形成する部品、即ち分岐開閉器を載置する部品１１２ｂ、１１２ｃが前記４回路ずつに分割されていることに依存している。また、これら部品１１２ｂ、１１２ｃの背面側には、仕切り壁１１２４が形成されており、この仕切り壁１１２４によって部品配置スペース５が分岐開閉器取付部１１２２の背面側において区分けされている。
【００５３】
分電盤内に配置する部品の大きさによっては、前記仕切り壁１１２４が配置の妨げになることが想定される。このため、仕切り壁１１２４の一部には切欠き部１１２４ａを形成し、上板部１１２の母線の幹が延出する方向全体に亘る部品においても、該切欠き部１１２４ａを通して配置することができるように構成されている。これにより、部品配置スペース５は、両端部に開口部１１２８を有することとなり、外部からは該開口部１１２８を通して、前記部品配置スペースに部品を配置し得る構成とでき、長い部品を配置する場合に利便性が増す。
【００５４】
また、上板部１１２における前記分岐開閉器取付部１１２２における前面側には、前記分岐開閉器の個々の取付部毎に、前記部品配置スペースに通ずる接続コネクタ７１１の挿通部としての開口部１１２５を設けている。また、前記分岐開閉器取付部１１２２には、前記ＣＴ出力信号引き出し線の接続コネクタ７１１を接続するための接続部２０２２を配置すべく、片側の前記分岐開閉器取付部１１２２に亘って共通する基板２０２１に、前記接続部２０２２が分岐開閉器の個々の取付部毎に並べて載置されている。
【００５５】
各々の接続部からは、信号線が、基板の端部に設けられた集約コネクタ部２０２４、２０１４に配線されている。該集約コネクタには、前記ＣＴで検出される各電流や主幹回路の電圧に基づき、各分岐回路で消費される消費電力等を計測する計測手段からのハーネス線が接続される。
【００５６】
また、前記接続部２０２２、２０１２は、開口部１１２５から前面側に突出しない高さに露出させて設けている。これは、分岐開閉器取付部１１２２には、分岐開閉器７が載置されるからである。
【００５７】
前記基板２０１、２０２は、上板部の背面側において、基板に設けられたねじ穴にねじを通すことにより、前記上板部１１２にねじ止めにて固定されている。
【００５８】
また、上板部１１２の前面側には、前記ＣＴ出力信号引き出し線７１０を前記開口部１１２５に導くために、分岐開閉器取付部の一部を凹ませて形成した配線溝部１１２６が設けられている。分岐開閉器７を分岐開閉器取付部１１２２に取り付ける場合には、該配線溝部１１２６にＣＴ出力信号引き出し線が配設されることにより、分岐開閉器７の取り付けの妨げにならない。
【００５９】
分岐開閉器７を取り付けるときには、先に接続コネクタ７１１を開口部１１２５から部品配置スペースに通し、前面側から露出した接続部２０２２に接続した後、ＣＴ出力信号引き出し線７１０が前記配線溝部１１２６に位置するよう配置した後、分岐開閉器７を分岐開閉器取付部１１２２に載置し、分岐線の側にスライドさせていくようにして取り付ける。このとき、分岐開閉器７の筐体部における段差部分７０２１にＣＴ出力信号引き出し線７１０を沿わせて配線することにより、分岐開閉器を並設させた場合に隣の分岐開閉器にＣＴ出力信号引き出し線が挟まらず都合がよい。
【００６０】
分岐開閉器７を取り外すときには、分岐開閉器を分岐線から遠ざかる方向にスライドさせ、一旦分岐線から接続を解き、続いて、接続コネクタ７１１を接続部２０２２から取り外す。
【００６１】
ＣＴ出力信号引き出し線７１０は、分岐開閉器７を分岐開閉器取付部１１２４に取り付けた場合には、前記配線溝部１１２６に配設されるとともに、接続コネクタ７１１は分岐開閉器の背面側の部品配置スペース５に設けられた接続部２０２２と接続されるから、ＣＴ出力信号引き出し線が、負荷側接続電線や他の回路の電線に混触することを防止できる。また、ＣＴ出力信号引き出し線の配線にあたり、中底の背面側のガタースペースには何ら影響を与えないから、ボックス内のガタースペースを圧迫することなく負荷側電線の配線施工を行うことができる。
【００６２】
このように、分岐開閉器の並設方向に亘って計測手段への接続部材である基板を配置するためのスペースが中底内部に確保できる。部品配置スペース５の両端部には開口部１１２８が設けられているから、前記基板や一次送り配線の配線場所として使用でき、追加部品、内部機器同士を接続する電源線や信号線を配置させる場合に利便性がよくなる。
【００６３】
主開閉器から離れたボックス端部に配設される内部機器に向けて一次送り配線を行う場合には、前記部品配置スペース５の一方の開口部１１２８から仕切り壁１１２４における切欠き部１１２４ａを通して他方の開口部１１２８に向けて電線を貫通させることにより、中底１１の背面側に施工される分岐開閉器７の負荷側端子に接続する負荷側電線とは何ら干渉することなく一次送りの配線を施工することができる。
【００６４】
（第２の実施形態）
次に第２の実施形態について、図７を参酌しつつ説明する。本実施形態に係る分電盤１は、第１の実施形態に係る中底１１における部品配置スペース５が、前記前面側に露出される状態と前記前面側から隠蔽される状態とを、選択的に取り得る構成としたものである。
【００６５】
即ち、第１の実施形態における上板部１１２の分岐開閉器取付部１１２２を、前記凹み部１１２１ｂ近傍に設けた開閉手段により開閉自在に形成し、部品配置スペース５を露出自在に設けたものである。
【００６６】
前記開閉手段は、前記凹み部１１２１ｂと分岐開閉器取付部１１２２とに互いに嵌合させる嵌合部１１２７を設けることにより構成し、前記分岐開閉器取付部１１２２が、前記母線１０の幹となる部分が延出する方向を軸として、回動するように設けている。上板部１１２は、前述したように、母線の幹が延出する方向に４回路ずつ、合計８回路毎の分岐開閉器を載置する部品１１２ｅ、１１２ｆにより形成されており、これら部品毎に開閉することが可能である。
【００６７】
開閉にあたっては、前記分岐開閉器引掛部１１２２ｂを指等で跳ね上げるようにすることにより部品配置スペースを露出させることができ、そして、前記分岐開閉器引掛部１１２２ｂを指等で押し下げるようにすることにより部品配置スペースを隠蔽することができる。図７（ａ）は、部品配置スペースを少し開けた状態、図７（ｂ）は、部品配置スペースを大きく開けた状態である。
【００６８】
また、端部の部品１１２ａにおける分岐開閉器を載置する部分においても同様に開閉自在に構成することにより、中底１１における部品配置スペース５全体が外部に露出可能に設けられるから、部品配置スペースに対して前記前面側からアクセスすることができ、追加機器の配置や収納する部品の配置、取外し、メンテナンス、また、内部機器同士を接続するための配線の施工、取外し、メンテナンスを外部から部品を配置する際に、前記開口部１１２８を覗き込んだり、上板部１１２を下板部１１１から外すことなく、作業性良く部品を配置することができる。
【００６９】
なお、本実施形態においては、部品配置スペース５の開操作に伴い、分岐開閉器取付部１１２２が上板部１１２から外れてしまわない例を示したものであるが、他の形態として、上板部１１２における母線取付部１１２１と、分岐開閉器取付部１１２２とを別々の部品で形成し、前記嵌合部を設けずに、分岐開閉器取付部１１２２を完全に取り外してしまうように構成してもよい。この場合においては、分岐開閉器取付部１１２２を取り外してしまえる分、部品配置のための作業スペースが拡大し、さらに作業性が向上できることが期待できる。
【００７０】
尚、本発明は、上記実施形態に限定されるものではなく、本発明の要旨を逸脱しない範囲で種々の変更が可能である。
【００７１】
例えば、なお、下板部の部品配置スペース５に相当する部分を金属加工により凹ませて形成し、該部品配置スペース５の大きさを拡大して構成してもよい。この場合には、下板部１１１の背面側に施工する電線の配線の邪魔になりにくいように、凹み部の端部の形状を、段差状ではなく傾斜面（Ｃ面）形状とし、凹み部につっかえるなどの干渉が起こりにくいように形成するとよい。
【００７２】
また、上板部の分割単位を、母線の幹が延出する方向に４回路ずつ分割する他、２回路毎や８回路、あるいは、１回路ずつに設けて、分電盤の設計上要求される分岐回路数の追加に細かに追随できるよう構成してもよい。
【００７３】
また、下板部１１１について、上板部１１２と同様に分割する構成とし、両端部の部品と、該両端部の部品の間に挟まれるように母線の幹が延出する方向に４回路ずつ、又は他の回路数ずつの長さに分割してそれぞれを螺子で締結してつなぎ合わせたり、互いに嵌合する嵌合部を形成して接続することにより形成してもよい。これにより、下板部１１１の共用化を図ることができる。
【００７４】
また、前記開閉手段における嵌合部１１２７に代えて、母線取付部と分岐開閉器取付部とに軸受部を形成し、該軸受部に軸を通すことにより、分岐開閉器取付部を回動自在に形成してもよい。
【００７５】
また、前記開閉手段における回動方向について、前記嵌合部１１２７における軸部を、分岐開閉器取付部における分岐開閉器を並設する方向の端部並びに下板部１１１に軸受部を設けることにより、分岐開閉器の電源側−負荷側の方向に回動軸が形成されるように構成し、回動方向を違えて構成してもよい。
【符号の説明】
【００７６】
１  分電盤
２  ボックス
３  電流制限器
４  主開閉器
５  部品配置スペース
７  分岐開閉器
８  を
９  接続導体
１０  母線
１０１  中性極の母線
１０２  Ｌ２の母線
１０３  Ｌ１の母線
１１  中底
１１１  下板部
１１１１  取付孔部
１１１２  折曲部
１１２  上板部
１１２ａ  端部の部品
１１２ｂ  分岐開閉器を載置する部品
１１２ｃ  分岐開閉器を載置する部品
１１２ｄ  端部の部品
１１２ｅ  絶縁壁
１１２ｆ  絶縁壁
１１２１  母線取付部
１１２２  分岐開閉器取付部
１１２２ａ  仕切り部
１１２２ｂ  分岐開閉器引掛部
１１２３  取付爪部
１１２４  仕切り壁
１１２４ａ  切欠き部
１１２５  接続コネクタの挿通部としての開口部
１１２６  配線溝部
１１２７  嵌合部
１１２８  開口部
【図１】
0005692744.tif 000002
【図２】
0005692744.tif 000003
【図３】
0005692744.tif 000004
【図４】
0005692744.tif 000005
【図５】
0005692744.tif 000006
【図６】
0005692744.tif 000007
【図７】
0005692744.tif 000008
【図８】
0005692744.tif 000009
【図９】
0005692744.tif 000010
【図１０】
0005692744.tif 000011
【図１１】
0005692744.tif 000012
【図１２】
0005692744.tif 000013